(57)【要約】【課題】ヘッドホーンに取り付けた操作部品を操作する際に、ヘッドホーンが位置ずれを起こしにくいヘッドマウントディスプレイを提供する。【解決手段】ヘッドホーン２の前側には、操作部品である押しボタンスイッチ７が取り付けられており、後側には、凹部である指かけ部８が設けられている。押しボタンスイッチ７を操作するときは、押しボタンスイッチ７に人差し指、中指、薬指のいずれかを当て、指かけ部８に親指をかけて、ヘッドホーン２を挟むような状態にして押しボタンスイッチ７を操作する。これにより、押しボタンスイッチ７を操作するときにヘッドホーン２にかかる押圧力が指かけ部８にかけられた親指によって受け止められるので、ヘッドホーン２の位置がずれることなく、押しボタンスイッチ７を操作することができる。【選択図】  図１
2008048316.tif 000002
【特許請求の範囲】
【請求項１】
ヘッドホーンを有するヘッドマウントディスプレイであって、前記ヘッドホーンの周囲に操作部品が取り付けられ、前記操作部品が取り付けられている部分と逆側のヘッドホーンの周囲部分に、少なくとも指の幅以上に亘る大きさの指かけ部が設けられていることを特徴とするヘッドマウントディスプレイ。
【発明の詳細な説明】
【技術分野】
【０００１】
本発明は、ヘッドマウントディスプレイに関するものである。
【背景技術】
【０００２】
近年、液晶パネル（ＬＣＤ）等のディスプレイ上に表示された映像を、接眼レンズやハーフミラー等を有する光学系を介して拡大した虚像として観察する眼鏡タイプの映像表示装置が種々提案され、ヘッドマウントディスプレイと呼ばれている。このようなヘッドマウントディスプレイの例は、例えばＷＯ２００４／０６１５１９Ａ１公報（特許文献１）に記載されている。
【０００３】
この映像表示装置は、多くの場合、頭に巻いた形で顔面に装着する構成とされ、両眼に対応する位置に映像表示系を形成した両眼タイプと左右眼の一方の眼に対応する位置に映像表示系を形成した片眼タイプとがある。このようなヘッドマウントディスプレイは、通常は、映像を表示する表示部と音声を出力するヘッドホーンとを有している。
【０００４】
このようなヘッドマウントディスプレイを操作する操作部品（スイッチ等）は、頭部に装着される本体部と別のコントロールボックス等に設けてもよいが、その場合、コントロールボックスと本体部をつなぐケーブル等が必要となり、操作の邪魔になると言う問題点がある。そこで、これらの操作部品を、頭部に装着されるヘッドマウントディスプレイ本体部のヘッドホーンに取り付ける試みがなされている。
【特許文献１】ＷＯ２００４／０６１５１９Ａ１公報
【発明の開示】
【発明が解決しようとする課題】
【０００５】
しかしながら、操作部品をヘッドホーンに取り付けた場合、操作部品（例えば押しボタンスイッチ）を操作する際に、操作部品に押圧力がかかり、ヘッドホーンが位置ずれを起こすという問題点があった。
【０００６】
本発明はこのような事情に鑑みてなされたもので、ヘッドホーンに取り付けた操作部品を操作する際に、ヘッドホーンが位置ずれを起こしにくいヘッドマウントディスプレイを提供することを課題とする。
【課題を解決するための手段】
【０００７】
前記課題は、ヘッドホーンを有するヘッドマウントディスプレイであって、前記ヘッドホーンの周囲に操作部品が取り付けられ、前記操作部品が取り付けられている部分と逆側のヘッドホーンの周囲部分に、少なくとも指の幅以上に亘る大きさの指かけ部が設けられていることを特徴とするヘッドマウントディスプレイにより解決される。
【０００８】
本手段においては、操作部品を操作するとき、操作部品を操作する指と、指かけ部にかけた指との間で、ヘッドホーンを挟みながら操作をするので、ヘッドホーンが位置ずれを起こすことを少なくすることができる。
【発明の効果】
【０００９】
本発明によれば、ヘッドホーンに取り付けた操作部品を操作する際に、ヘッドホーンが位置ずれを起こしにくいヘッドマウントディスプレイを提供することができる。
【発明を実施するための最良の形態】
【００１０】
以下、本発明の実施の形態の例を、図を用いて説明する。図１は、本発明の第１の実施の形態であるヘッドマウントディスプレイの概要を示す図であり、（ａ）は平面図、（ｂ）は側面図である。ヘッドマウントディスプレイ１においては、ヘッドホーン２、３が、連結部４により連結されており、連結部４は弾性を有している。頭部Ｈへの装着時には、ヘッドホーン２、３により両耳を挟んで連結部４の弾性により押さえつける形で装着する。ヘッドホーン３には、支持アーム５が装着時の左右方向を回動軸として回動可能なように取り付けられており、その先端部には、使用者の眼に映像を表示する表示部６が取り付けられている。
【００１１】
ヘッドホーン２の前側には、操作部品である押しボタンスイッチ７が取り付けられており、後側には、凹部である指かけ部８が設けられている。押しボタンスイッチ７を操作するときは、押しボタンスイッチ７に人差し指、中指、薬指のいずれかを当て、指かけ部８に親指をかけて、ヘッドホーン２を挟むような状態にして押しボタンスイッチ７を操作する。これにより、押しボタンスイッチ７を操作するときにヘッドホーン２にかかる押圧力が指かけ部８にかけられた親指によって受け止められるので、ヘッドホーン２の位置がずれることなく、押しボタンスイッチ７を操作することができる。
【００１２】
図２は、本発明の第２の実施の形態であるヘッドマウントディスプレイの概要を示す図であり、（ａ）は平面図、（ｂ）は側面図である。以下の図において、前出の図に示された構成部品と同じ構成部品には、同じ符号を付してその説明を省略することがある。図２においては、図１と比較して、ヘッドホーン２に設けられた押しボタンスイッチ７と指かけ部８の位置が前後逆になっている。よって、押しボタンスイッチ７は、親指で操作し、指かけ部８には人差し指、中指、薬指のいずれかを当てる。その作用効果は、図１に示した実施の形態と同じである。
【００１３】
図３は、本発明の第3の実施の形態であるヘッドマウントディスプレイの概要を示す図であり、（ａ）は平面図、（ｂ）は側面図である。この実施の形態においては、図１に示した実施の形態に比して、指かけ部８の幅が小さく、親指より僅かに広くされている。よって、親指をかける位置が同一の位置となり、この位置を基準として、押しボタンスイッチ７の位置を探り当てることが容易となる。
【００１４】
図４は、本発明の第４の実施の形態であるヘッドマウントディスプレイの概要を示す図であり、（ａ）は平面図、（ｂ）は側面図である。この実施の形態においては、図１に示した実施の形態に比して、ヘッドホーン２の後側にも押しボタンスイッチ９が設けられ、それに対応して、ヘッドホーン２の前側にも指かけ部１０が設けられているところが異なっている。押しボタンスイッチ７を操作するときの操作方法は図１に示した例と同じである。押しボタンスイッチ９を操作するときは、親指で操作し、指かけ部１０には人差し指、中指、薬指のいずれかを当てる。なお、図では、指かけ部８の幅を広くしているが、図３と同じように、親指の幅より僅かに広い幅としてもよい。なお、ヘッドホーン２の後側には、押しボタンスイッチではなく、ジョイステックを設けるようにしてもよい。
【００１５】
図５は、本発明の第５の実施の形態であるヘッドマウントディスプレイの概要を示す図であり、（ａ）は平面図、（ｂ）は側面図である。この実施の形態においては、ヘッドホーン２の下面側に押しボタンスイッチ１１が設けられ、上面側に指かけ部１２が設けられている。よって、押しボタンスイッチ１１を操作するときは親指で操作し、指かけ部１２には、人差し指、中指、薬指のうちいずれか２つを当てる。これにより、ヘッドホーン２の位置変動を押さえることができる。
【００１６】
図６は、本発明の第６の実施の形態であるヘッドマウントディスプレイの概要を示す図であり、（ａ）は平面図、（ｂ）は側面図である。この例においては、ヘッドホーン２の前側に押しボタンスイッチ１３が、ヘッドホーン２の後側に押しボタンスイッチ１４が設けられると共に、ヘッドホーン２の前側に指かけ部１５が、後側に指かけ部１６が設けられている。すなわち、指かけ部１５、１６はそれぞれ孔を有し、その孔中に押しボタンスイッチ１３、１４が設けられるようになっている。
【００１７】
押しボタンスイッチ１３を操作するときは、人差し指、中指、薬指のうちいずれかで操作し、指かけ部１６に親指を当ててヘッドホーン２の位置ずれを防止する。押しボタンスイッチ１４を操作するときは、親指で操作し、指かけ部１５に人差し指、中指、薬指のうち一つ以上を当ててヘッドホーン２の位置ずれを防止する。この例では、指かけ部１５、１６の高さが、押しボタンスイッチ１３、１４の高さと同じとなっているので、何もしないのに押しボタンスイッチ１３、１４が、外部の物体と当たって操作が行われることを防止することができる。
【００１８】
なお、図６に示した状態から、支持アーム５を１８０°回動させ、かつ、ヘッドマウントディスプレイ１の左右を入れ替えて装着することにより、このヘッドマウントディスプレイ１を右眼用として使用することができるが、押しボタンスイッチ１３、１４が前後対称に設けられているので、各対応する前後の押しボタンスイッチの機能を入れ替えることにより、ヘッドマウントディスプレイ１を右目用として使用した場合にも、左眼用として使用した場合と同じ動作をさせることができる。
【００１９】
図７は、本発明の第７の実施の形態であるヘッドマウントディスプレイの概要を示す図であり、（ａ）は平面図、（ｂ）は側面図である。この実施の形態は、図２に示した実施の形態とほぼ同じであるが、指かけ部１７が、ヘッドホーン２の上方に設置されており、かつ、凹部が深くなっているところが異なっている。手の形状を考えた場合、このようにすることにより、指かけ部１７に親指をかけやすいという利点がある。作用効果は、図２に示した実施の形態と同じである。
【図面の簡単な説明】
【００２０】
【図１】本発明の第１の実施の形態であるヘッドマウントディスプレイの概要を示す図である。
【図２】本発明の第２の実施の形態であるヘッドマウントディスプレイの概要を示す図である。
【図３】本発明の第３の実施の形態であるヘッドマウントディスプレイの概要を示す図である。
【図４】本発明の第４の実施の形態であるヘッドマウントディスプレイの概要を示す図である。
【図５】本発明の第５の実施の形態であるヘッドマウントディスプレイの概要を示す図である。
【図６】本発明の第６の実施の形態であるヘッドマウントディスプレイの概要を示す図である。
【図７】本発明の第７の実施の形態であるヘッドマウントディスプレイの概要を示す図である。
【符号の説明】
【００２１】
１…ヘッドマウントディスプレイ、２…ヘッドホーン、３…ヘッドホーン、４…連結部、５…支持アーム、６…表示部、７…押しボタンスイッチ、８…指かけ部、９…押しボタンスイッチ、１０…指かけ部、１１…押しボタンスイッチ、１２…指かけ部、１３…押しボタンスイッチ、１４…押しボタンスイッチ、１５…指かけ部、１６…指かけ部、１７…指かけ部
【図１】
2008048316.tif 000003
【図２】
2008048316.tif 000004
【図３】
2008048316.tif 000005
【図４】
2008048316.tif 000006
【図５】
2008048316.tif 000007
【図６】
2008048316.tif 000008
【図７】
2008048316.tif 000009